(57)【要約】      （修正有）【課題】透明で内壁面に立体パターンを有する非平滑面の瓶を提供する。【解決手段】透光性の瓶の本体１０及び瓶の本体１０の一端に位置される瓶の口１６を備える。瓶の本体１０の内壁面は凸凹の立体パターンを有する非平滑面であり、瓶の外壁面１３は平滑面であり、このため瓶の表面にラベルや商標デザインを貼ったり製品の説明書を貼付するのに便利であり、外観は瓶の本体１０内部の凸状パターン１４或いは凹状パターンが露見され、造形の変化に富み透明感のある視覚効果を有する。【選択図】図２ａ
0003192552.tif 000002
【実用新案登録請求の範囲】
【請求項１】
透光性の瓶の本体及び前記瓶の本体の一端に位置される瓶の口を備える瓶であって、
前記瓶の本体の内壁面は凸凹の立体パターンを有する非平滑面であることを特徴とする、
瓶。
【請求項２】
前記内壁面の径方向の断面は環形が連続的に配列される複数の弧面により構成されることを特徴とする、請求項１に記載の瓶。
【請求項３】
前記弧面は瓶の本体の外側に向け陥没し、隣接する２面の弧面の間には刃先角が形成され、前記瓶の本体は縦方向の数本の凸状パターンを有することを特徴とする、請求項２に記載の瓶。
【請求項４】
前記弧面は前記瓶の本体の内部に向け突出し、隣接する２面の弧面の間には刃先角が形成され、前記瓶の本体は縦方向の数本の凸状パターンを有することを特徴とする、請求項２に記載の瓶。
【請求項５】
前記内壁面の径方向の断面には複数の尖形の凸部が環形で等距離で分布され、前記瓶の本体内部には縦方向の数本の凸状パターンを有することを特徴とする、請求項１に記載の瓶。
【請求項６】
前記内壁面の径方向の断面は複数の連続的な凸状パターン及び凹状パターンが環形に配列されることで構成されることを特徴とする、請求項１に記載の瓶。
【請求項７】
前記瓶の前記瓶の口の近隣の位置の外径が縮小し小さくなることで瓶の首が形成されることを特徴とする、請求項１に記載の瓶。
【請求項８】
前記瓶の本体の輪郭は不均等な外径の弧形曲線であることを特徴とする、請求項１に記載の瓶。
【請求項９】
前記瓶の本体は均等な外径であることを特徴とする、請求項１に記載の瓶。
【請求項１０】
前記瓶の本体の外壁面は平滑面であることを特徴とする、請求項１に記載の瓶。
【考案の詳細な説明】
【技術分野】
【０００１】
本考案は、透明で内壁面に立体パターンを有する非平滑面の瓶の構造に関する。
【背景技術】
【０００２】
一般的な従来のプラスチック材の瓶の外形は図１ａ及び図１ｂに示すように、透光性の瓶の本体を主に備え、プラスチック材料で製造される。大部分の透光性の瓶の製造は、射出成形機を用いモールドをブロー成形により瓶形状に成形させて行う。
【０００３】
また、透光性のプラスチック瓶の外形には、大多数の業者は瓶の外周の表面に造形を施す。例えば図１ａ及び図１ｂの瓶の外周面１には多辺形の複数の菱形を有し、瓶の内周面１ｂは円形の平滑面であり、手で持って使用した際に摩擦により滑止する機能を有する。特に瓶の蓋を回して開ける際には、異なる方向の複数の平面及び複数の菱形を有することで滑止機能を達成させ、使用者が前記瓶の蓋を素早く開けられるようになる。
視覚的にも透光性の瓶は多面角による屈折効果を有し、また隣接する２面の菱形は光を多様に変化させる視覚効果を生み、特に透光性があるため瓶内部に詰められた製品を視認する事ができ、使用者は外から内部に入れられた内容物が何であるか、内容物の量がどの位か、液体か固体か、色は何色か等を瓶の蓋を開けずとも判別可能である。
【考案の概要】
【考案が解決しようとする課題】
【０００４】
しかしながら、前述した従来の瓶の技術では、瓶は製品を詰める為の容器であるため、販売する上で瓶の表面には皆広告用ラベル、商標デザイン、品名、機能、用法、保存方法、製造年月日、成分、代理店及び住所等の製品の説明が貼付される。然しながら、従来の瓶の外周面１は複数の菱形を有する非平滑の表面であるため、瓶の外表面にラベルを貼るのが難しく、要求を満たせなかった。
【０００５】
そこで、本考案者は上記の欠点が改善可能と考え、鋭意検討を重ねた結果、合理的設計で上記の課題を効果的に改善する本考案の提案に到った。
【０００６】
本考案は、上述のような従来の問題を解決するためになされたもので、上記の課題解決のため、透光性の瓶を提供することを主目的とする。即ち、前記瓶の内壁面は凸凹の立体パターンを有する非平滑面であり、瓶の外壁面は平滑面であり、ラベルを貼付するのに便利で、且つ屈折光が多様に変化する効果を有する。
【課題を解決するための手段】
【０００７】
上述した課題を解決し、目的を達成するために、本考案に係る瓶は、透光性の瓶の本体及び前記瓶の本体の一端に位置される瓶の口を備える瓶であって、前記瓶の本体の内壁面には凸凹の立体パターンを有する非平滑面であることを特徴とする。
【０００８】
請求項２に記載の瓶は、前記内壁面の径方向の断面は環形が連続的に配列される複数の弧面により構成されることを特徴とする。
【０００９】
請求項３に記載の瓶は、前記弧面は瓶の本体の外側に向け陥没し、隣接する２面の弧面の間には刃先角が形成され、前記瓶の本体は縦方向の数本の凸状パターンを有することを特徴とする。
【００１０】
さらに、請求項４に記載の瓶は、前記弧面は前記瓶の本体の内部に向け突出し、隣接する２面の弧面の間には刃先角が形成され、前記瓶の本体は縦方向の数本の凸状パターンを有することを特徴とする。
【００１１】
請求項５に記載の瓶は、前記内壁面の径方向の断面には複数の尖形の凸部が環形で等距離で分布され、前記瓶の本体内部には縦方向の数本の凸状パターンを有することを特徴とする。
【００１２】
請求項６に記載の瓶は、前記内壁面の径方向の断面は複数の連続的な凸状パターン及び凹状パターンが環形に配列されることで構成されることを特徴とする。
【００１３】
請求項７に記載の瓶は、前記瓶の前記瓶の口の近隣の位置の外径が縮小し小さくなることで瓶の首が形成されることを特徴とする。
【００１４】
請求項８に記載の瓶は、前記瓶の本体の輪郭は不均等な外径の弧形曲線であることを特徴とする。
【００１５】
請求項９に記載の瓶は、前記瓶の本体は均等な外径であることを特徴とする。
【００１６】
請求項１０に記載の瓶は、前記瓶の本体の外壁面は平滑面であることを特徴とする。
【考案の効果】
【００１７】
本考案によれば、少なくとも以下の長所を有する。
１．本考案に係る瓶の本体の外壁面は平滑面であり、瓶の表面に広告用ラベル、商標デザイン、品名、機能、用法、保存方法、製造年月日、成分、代理店及び住所等の製品の説明を貼付するのに便利である。
２．本考案に係る瓶の本体は透光性であり、内壁面は凸状パターン或いは凹状パターンを有する非平滑面であり、外壁面は平滑面であり、外側から瓶内部の内容物が何か、量はどの位か、液体か固体か、色は何色か等を瓶の蓋を開けずとも素早く視認出来る。
３．本考案に係る瓶の本体はプラスチック材で製造される透光性の材質であり、光線が照射されると内部の数本の凸状パターン及び凹状パターンが視認でき、造形が多様に変化し、透明感のある視覚効果を有する。
【図面の簡単な説明】
【００１８】
【図１ａ】従来の瓶を示す外観斜視図である。
【図１ｂ】図１に示すａ―ａの断面線の断面模式図である。
【図２ａ】本考案の第一実施形態に係る瓶を示す外観斜視図である。
【図２ｂ】図２ａに示すｂ―ｂの断面線の断面模式図である。
【図２ｃ】図２ａに示すｃ―ｃの断面線の断面模式図である。
【図３】本考案の第二実施形態に係る瓶の断面模式図である。
【図４ａ】本考案の第三実施形態に係る瓶を示す外観斜視図である。
【図４ｂ】図４ａに示すＤ―Ｄの断面線の断面模式図である。
【図５】本考案の第四実施形態に係る瓶の断面模式図である。
【考案を実施するための形態】
【００１９】
以下に図面を参照して、本考案を実施するための形態について、詳細に説明する。なお、本考案は、以下に説明する実施形態に限定されるものではない。
【００２０】
（第一実施形態）
以下、本考案の第一実施形態を図２ａ〜図２ｃに基づいて説明する。図２ａは本考案の第一実施形態に係る瓶を示す外観斜視図である。図２ｂは図２ａに示すｂ―ｂの断面線の断面模式図である。図２ｃは図２ａに示すｃ―ｃの断面線の断面模式図である。
本考案に係る瓶は、プラスチック材で製造される透光性の瓶の本体１０及び前記瓶の本体１０の一端に位置される瓶の口１６を備え、前記瓶の本体１０の輪郭は不均等な外径の弧形曲線であり、前記瓶の口１６の近隣の位置の外径が縮小し小さくなることで瓶の首１１が形成される。前記瓶の本体１０の内壁面１２は凸凹の立体パターンを有する非平滑面であり、前記瓶の本体１０の外壁面１３は平滑面である。
【００２１】
この好ましい実施形態では、前記内壁面１２の径方向の断面は環形が連続的に配列される複数の弧面で構成される。前記弧面は瓶の本体１０の外側に向け陥没し、隣接する２面の弧面の間には尖形の刃先角αが形成される。前記瓶の本体１０には縦方向の数本の凸状パターン１４を有し、前記瓶の本体１０は光線が照射されると内部が視認でき、外側から瓶の本体１０内部の縦方向の数本の凸状パターン１４が識別でき、多様な変化及び透明感のある視覚効果を有する。
【００２２】
（第二実施形態）
図３は本考案の第二実施形態に係る瓶の断面模式図である。この好ましい実施形態は、前述の第一実施形態とほぼ同じであり、プラスチック材で製造される透光性の瓶の本体１０ａを備え、前記瓶の本体１０ａの内壁面１２ａは非平滑面であり、前記瓶の本体１０ａの外壁面１３ａは平滑面である。
【００２３】
本実施形態では、前記内壁面１２ａの径方向の断面は環形が連続的に配列される複数の弧面で構成され、前記弧面は前記瓶の本体１０ａの内部に向け突出し、隣接する２面の弧面の間には尖形の刃先角βが形成され、前記瓶の本体１０ａは縦方向の数本の凸状パターン１４ａを有する。外側から瓶の本体１０ａ内部の縦方向の数本の凸状パターン１４ａが視認でき、透明感のある視覚効果を有する。
【００２４】
（第三実施形態）
以下、図４ａと図４ｂを参照しながら本考案の第三実施形態を説明する。この好ましい実施形態は、前述の第一実施形態と大方同様である。プラスチック材で製造される透光性の均等な外径の瓶の本体１０ｂ及び前記瓶の本体１０ｂの一端に位置される瓶の口１６ｂを備え、前記瓶の口１６ｂの近隣の位置の外径が縮小し小さくなることで瓶の首１１ｂが形成され、前記瓶の本体１０ｂの内壁面１２ｂは非平滑面であり、前記瓶の本体１０ｂの外壁面１３ｂは平滑面である。
【００２５】
この好ましい実施形態では、前記内壁面１２ｂの径方向の断面には複数の尖形の凸部１５ｂが環形で等距離で分布され、前記瓶の本体１０ｂ内部には縦方向の数本の凸状パターン１４ｂを有する。
【００２６】
（第四実施形態）
図５は本考案の第四実施形態に係る瓶の断面模式図である。この好ましい実施形態は、前述の第一実施形態と大方同じである。プラスチック材で製造される透光性の瓶の本体１０ｃを備え、前記瓶の本体１０ｃの内壁面１２ｃは非平滑面であり、瓶の本体１０ｃの外壁面１３ｃは平滑面である。
本実施形態によると、前記内壁面１２ｃの径方向の断面は複数の連続的な凸状パターン１４ｃ及び凹状パターン１４ｃ´が環形に配列されることで構成され、外側から瓶の本体１０ｃ内部の縦方向の数本の凸状パターン１４ｃ及び凹状パターン１４ｃ´が視認でき、透明感のある視覚効果を有する。
【００２７】
前述したように、本考案に係る瓶は少なくとも以下の長所を有する。
１．本考案に係る瓶の本体は平滑面であり、瓶の表面に広告用ラベル、商標デザイン、品名、機能、用法、保存方法、製造年月日、製品成分、代理店及び住所等の製品の説明を貼付するのに便利である。
２．本考案に係る瓶の本体の内壁面は複数の凸状パターン或いは凹状パターンを有する非平滑面であり、外壁面は平滑面であり、外側から瓶の本体内部の内容物が何であるか、量はどの位か、液体か固体か、色は何色か等を瓶の蓋を開けずとも視認できる。
３．本考案に係る瓶の本体はプラスチック材で製造される透光性の材質であり、光線が照射されると内部の縦方向の数本の凸状パターン及び凹状パターンが視認でき、造形が多様に変化し透明感のある視覚効果を有する。当然ながら、本考案に係る瓶はプラスチック材料に限られず、ガラス材、アクリル材、或いは他の材料で製造されてもよく、瓶の本体はモールド形状を様々な立体パターンに製造でき、外壁面は実際の需要に合わせたパターンを造形可能である。
【００２８】
以上、本考案の実施形態について図面を参照して詳述したが、具体的な構成はこの実施形態に限られるものではなく、本考案の要旨を逸脱しない範囲の設計変更等も含まれる。
【符号の説明】
【００２９】
１      外周面
２      内周面
α      刃先角
β      刃先角
１０    瓶の本体
１０ａ  瓶の本体
１０ｂ  瓶の本体
１０ｃ  瓶の本体
１１    瓶の首
１１ｂ  瓶の首
１２    内壁面
１２ａ  内壁面
１２ｂ  内壁面
１２ｃ  内壁面
１３    外壁面
１３ａ  外壁面
１３ｂ  外壁面
１４    凸状パターン
１４ａ  凸状パターン
１４ｂ  凸状パターン
１４ｃ  凸状パターン
１４´  凸状パターン
１５ｂ  尖形の凸部
１６    瓶の口
１６ｂ  瓶の口
【図１ａ】
0003192552.tif 000003
【図１ｂ】
0003192552.tif 000004
【図２ａ】
0003192552.tif 000005
【図２ｂ】
0003192552.tif 000006
【図２ｃ】
0003192552.tif 000007
【図３】
0003192552.tif 000008
【図４ａ】
0003192552.tif 000009
【図４ｂ】
0003192552.tif 000010
【図５】
0003192552.tif 000011